(57)【要約】【課題】ノズルがノズル収納部から取り出されてからノズルがノズル収納部に収納されるまでの間も、ノズル収納部への雪等が付着しにくく、ノズルカバーが強風によりガタつきにくくした燃料供給装置を提供する。【解決手段】給油ノズル３０をノズル収納部４０から取り出す際、及び給油ノズル３０をノズル収納部４０に収納する際の作業性を損なうことなく、かつ、給油ノズル３０がノズル収納部４０から取り出されてから給油ノズル３０がノズル収納４０部に収納されるまでの間も、給油ノズル３０をノズル収納部４０から取り出す際にカバー開状態にされたノズルカバー６０が、給油ノズル３０の取り出し後、自動的に強風によりガタつきにくいカバー閉状態に戻る構成とした。【選択図】図１
2015145254.tif 000002
【特許請求の範囲】
【請求項１】
燃料供給対象の燃料供給口に接続されて当該燃料供給対象に対して燃料供給を行うノズルと、
前記ノズルに供給燃料を送る燃料供給経路と、
前記燃料供給経路を有する筐体に設けられ、前記ノズルを収納するノズル収納部と、
前記ノズル収納部を覆うように形成され、かつ前記ノズル収納部に対して開閉可能に設けられたノズルカバーと
を備えた燃料供給装置において、
カバー開状態の前記ノズルカバーがカバー閉状態になる際のカバー移動速度を、その際のカバー開状態の重力加速度に基づいて発生するカバー移動速度に対して減少させる
減速機構
を備えたことを特徴とする燃料供給装置。
【請求項２】
前記減速機構は、
前記カバー開状態又は閉状態に応じて、容積が相反的に拡張又は縮小するように画成され、非圧縮性液体が貯留される第１及び第２の貯液室と、
前記第１及び第２の貯液室同士を連通させるように設けられたチェックバルブ及びオリフィスと、
を有し、
前記チェックバルブは、前記ノズルカバーのカバー閉状態で、前記第１及び第２の貯液室の中、拡張状態にある貯液室に貯留された非圧縮性液体が、前記ノズルカバーのカバー閉移動により縮小状態にある貯液室内に流入するのを遮断するように設けられている
ことを特徴とする請求項１に記載の燃料供給装置。
【請求項３】
前記減速機構には、
前記ノズルカバーの前記ノズル収納部に対しての回動範囲を規制する規制部を形成した
ことを特徴とする請求項１又は２のいずれかに記載の燃料供給装置。
【発明の詳細な説明】
【技術分野】
【０００１】
本発明は、ノズルを使用して燃料供給対象の燃料タンクに燃料を供給する燃料供給装置に係り、燃料供給作業の開始に備えてノズル収納部及びノズル収納部に収納・保持されているノズルの保護機構を備えた燃料供給装置に関する。
【背景技術】
【０００２】
燃料供給所に備えられた燃料供給装置の一例として、いわゆるガソリンスタンドに備えられ、燃料供給対象である車両の燃料タンクにガソリンや軽油等の燃料を供給する給油装置が知られている。この給油装置をはじめとする燃料供給装置では、装置本体のノズル収納部に収納・保持されているノズルを燃料供給所の従業員又は顧客自らが操作して、燃料タンクに対する燃料供給作業を行う構成になっている。
【０００３】
ところで、このような燃料供給装置は、通常、燃料供給対象との関係等から装置自体が屋外に設置されるため、例えば、風雪が厳しい寒冷地の燃料供給所では、ノズル収納部に収納された状態のノズルに雪等が付着してしまう。その結果、ノズル収納部に収納されているノズルに付着した雪が、燃料供給作業時、例えばノズルをノズル収納部から取り出す場合等、ノズル操作の妨げになることがあった。また、雪に限らず雨によりノズルが濡れた場合には、操作者は濡れたノズルを触ることになり不快に思う場合もあった。
【０００４】
このような風雪が厳しい寒冷地の燃料供給所に設置される燃料供給装置に係り、特許文献件１には、ノズル収納部に収納状態のノズルに雪等が付着しないようにするため、ノズル収納部に対する収納状態で、ノズルのグリップ部を除いたノズルの本体及び吐出パイプを覆うことができる開閉可能（本体及び吐出パイプの露出／遮蔽可能）なノズルカバーを備えた燃料供給装置が記載されている。
【０００５】
その上で、特許文献件１には、ノズルがノズル収納部に収納された状態でノズルの重量によりノズルカバーをカバー閉位置（ノズル収納部の遮蔽位置）に係止する一方、ノズルをノズル収納部から取り出す際には、ノズルを持ち上げることだけでノズルカバーのカバー閉位置での係止を自動解除できるロック機構についても記載されている。加えて、このロック機構により、ノズルをノズル収納部から取り出す際の操作性を損なうことなく、閉状態にあるノズルカバーが強風によって持ち上げられてガタついたり、ノズルカバーが振動して騒音が発生するのを防止できることが記載されている。
【先行技術文献】
【特許文献】
【０００６】
【特許文献１】特開２０１１−２４０９７１号公報
【発明の概要】
【発明が解決しようとする課題】
【０００７】
ところで、上述した特許文献件１に記載の燃料供給装置では、燃料供給作業の際、作業開始に当たって、ノズルをノズル収納部から持ち上げて取り出すと、その際、一旦、カバー開状態にされたノズルカバーは、燃料供給作業が終了してノズルがノズル収納部に収納されるまでの間、少なくとも給液口に挿入した吐出パイプから燃料タンクに燃料を供給している間は、ノズルカバーのカバー開状態及びロック機構の解除状態が維持されるようになっている。
【０００８】
そのため、燃料供給量が多量である場合や、セルフサービスでノズル操作に不慣れな顧客が燃料供給作業を行う場合等は、ノズルがノズル収納部に収納されている燃料供給作業のための待機時と比べれば短時間ながら、ノズルがノズル収納部から取り出されてからノズルがノズル収納部に収納されるまでの時間が長くなり、この間は、ノズル収納部への雪等の付着を許容してしまうことになる。
【０００９】
そこで、ノズルをノズル収納部から持ち上げて取り出した後は、ノズルカバーを、一旦、カバー閉状態に操作してロック機構を係止状態にすれば、このノズルがノズル収納部から取り出されている間の、上述したノズル収納部への雪等が付着は解決可能であるが、実際には、ノズル取り出し後の、ノズルカバーのカバー閉操作やロック機構の係止操作は忘れられがちになってしまう。
【００１０】
そこで、本発明は、上述した問題点を鑑みなされたものであって、ノズルをノズル収納部から取り出す際、及びノズルをノズル収納に収納する際の作業性を損なうことなく、かつ、ノズルがノズル収納部から取り出されてからノズルがノズル収納部に収納されるまでの間も、ノズル収納部への雪等が付着しにくくした燃料供給装置を提供することを目的とする。
【課題を解決するための手段】
【００１１】
上記した課題を解決するために、本発明に係る燃料供給装置は、ノズルをノズル収納部から取り出す際、及びノズルをノズル収納部に収納する際の作業性を損なうことなく、かつ、ノズルがノズル収納部から取り出されてからノズルがノズル収納部に収納されるまでの間も、ノズルをノズル収納部から取り出す際にカバー開状態（ノズル収納部の露出状態）にされたノズルカバーが、ノズルの取り出し後、自動的にカバー閉状態（ノズル収納部の隠蔽状態）に戻る構成としたことを特徴とする。
【００１２】
そのために、本発明は、燃料供給対象の燃料供給口に接続されて当該燃料供給対象に対して燃料供給を行うノズルと、ノズルに供給燃料を送る燃料供給経路と、燃料供給経路を有する筐体に設けられ、ノズルを収納するノズル収納部と、ノズル収納部を覆うように形成され、かつノズル収納部に対して開閉可能に設けられたノズルカバーとを備えた燃料供給装置であって、カバー開状態の前記ノズルカバーがカバー閉状態になる際のカバー移動速度を、カバー開状態の重力加速度に基づいて発生するカバー移動速度に対して減少させる減速機構を備えたことを特徴とする。
【発明の効果】
【００１３】
作業者がノズル収納部からノズルを取り出すためにノズルカバーをカバー開操作した場合に、作業者がノズルカバーから手を離しても、ノズルカバーは自動的に減速してカバー閉位置にゆっくりと移動するので、作業者は、その間に、ノズルカバーを離した手でノズルをノズル収納部から取り出すことができ、作業性を損なうことがない。
【００１４】
上記した以外の、課題、構成及び効果は、以下の実施の形態の説明により明らかにされる。
【図面の簡単な説明】
【００１５】
【図１】本発明に係る燃料供給装置の一実施の形態としての給油装置の正面図である。
【図２】ノズルカバーが取り付けられたノズル収納部の構成を示す斜視図である。
【図３】ノズルカバーの構成図である。
【図４】ノズルカバーのノズル収納部に対し回動自在に取り付ける回動機構の説明図である。
【図５】回動機構の減速軸機構部に備えられた減速軸の一実施例の構成図である。
【図６】ノズルカバーのカバー閉位置におけるノズルカバー及び回動機構の状態を示した図である。
【図７】ノズルカバーのカバー半閉（カバー半開）位置におけるノズルカバー及び回動機構の状態を示した図である。
【図８】ノズルカバーのカバー開位置におけるノズルカバー及び回動機構の状態を示した図である。
【発明を実施するための形態】
【００１６】
本発明に係る燃料供給装置の実施の形態について、図面に基づいて説明する。
【００１７】
以下では、燃料供給所としてのガソリンスタンドに備えられる給油装置を例に、本発明に係る燃料供給装置の実施の形態について説明する。なお、本発明に係る燃料供給装置は、給油装置に限るものではなく、例えば、ＬＰＧ（液化石油ガス），ＬＮＧ（液化天然ガス），ＣＮＧ（圧縮天然ガス），又は燃料電池の燃料となる水素等の燃料ガスを充填するガス充填装置のように、ノズル操作により燃料供給対象に燃料供給を行う装置であれば、適用可能である。
【００１８】
図１は、本発明に係る燃料供給装置の一実施の形態としての給油装置の正面図である。
【００１９】
給油装置１０は、いわゆるガソリンスタンドに備えられ、装置本体１１のノズル収納部４０に収納・保持されている給油ノズル３０を、スタンド従業員又は顧客自らが操作して、燃料供給対象である車両の燃料タンク等にガソリンや軽油等の給油を行うための燃料供給装置である。
【００２０】
図１では、給油装置１０は、装置本体１１と、この装置本体１１から導出され、それぞれ先端に給油ノズル３０が備えられた複数の給油ホース２０と、を有する構成になっている。各給油ノズル３０は、対応する給油ホース２０とともに給油系統を構成する。例えば、図示の例では、給油装置１０は、レギュラーガソリン，ハイオクガソリン，軽油といった、相互に油種が異なる３つの給油系統を備えた構成になっている。
【００２１】
図１において、装置本体１１は、給油ノズル３０，給油ホース２０とともに給油系統を構成する各機器が収納される機器収納部１２と、表示器や制御装置が収納される表示機器収納部１３とを備えて構成されている。機器収納部１２と表示機器収納部１３とは、装置本体１１のフレームにパネル，仕切板等を装着して、互いに区画形成されて構成されている。
【００２２】
機器収納部１２の内部には、給油系統それぞれのポンプ等の送液機器２１や、送液機器２１の駆動により給油ノズル３０に供給された油液量を計測する流量計等の流量計測機器２２が、それぞれ収納されている。給油系統それぞれの送液機器２１のポンプ吸込側は、レギュラーガソリン，ハイオクガソリン，軽油の地下貯油タンクにそれぞれ配管を介して連通され、ポンプ吐出側は対応する流量計測機器２２の流入側と連通され、各流量計測機器２２の流出側はそれぞれ配管を介して対応する給油ホース２０の基端側に連通された構成になっている。
【００２３】
また、機器収納部１２の筺体面には、給油系統毎に、不使用時に給油ノズル３０を保持しておくためのノズル収納部４０が設けられている。各ノズル収納部４０には、給油ノズル３０のノズル収納部４０に対する収納状態／非収納状態、又はその状態変化を検出するためのノズルスイッチ２３が付設されている。そして、図示の給油装置１０では、複数の給油系統を有するので、各ノズル収納部４０、又は各ノズル収納部４０の近傍の機器収納部１２の筺体面には、給油系統毎の供給油種を表示した油種表示パネルも設けられている。
【００２４】
一方、このような機器収納部１２とは画成された表示機器収納部１３には、給油量等の給油情報を表示する給油表示器２４が、装置本体１１の外部に対し、表示面を臨ませて設けられている。そして、表示機器収納部１３の内部には、給油表示器２４をはじめとする給油装置各部の作動制御等を行う給油制御装置２５が収容されている。
【００２５】
給油制御装置２５は、ＣＰＵ，ＲＡＭ，ＲＯＭ，接続機器に対する入／出力インタフェース，及び他の装置間との通信のための通信インタフェース等を備えたマイクロコンピュータによってそれぞれ構成されている。給油制御装置２５は、送液機器２１，流量計測機器２２，ノズルスイッチ２３，給油表示器２４と、信号接続又はデータ接続されているとともに、給油装置１０と共にガソリンスタンド内に備えられた販売時点管理システム（給油所ＰＯＳ）の給油端末機（図示せず）とも、互いに信号及びデータを送受信可能なように通信接続されている。さらに、顧客自らが給油ノズル３０を操作して燃料供給作業を行うセルフサービス方式のガソリンスタンドでは、給油制御装置２５は、給油所事務所に設けられた給油管理機（図示せず）とも、それぞれ信号及びデータを送受信可能なように通信接続されてる。
【００２６】
給油制御装置２５は、給油端末機から、給油作業開始に際して給油端末機で設定した顧客の給油作業条件を受け、給油端末機若しくは給油管理機から供給される給油許可の受信を基に、この給油作業条件に含まれる設定油種の給油作業を行うため、設定油種に該当する給油系統の各部、及び給油表示器２４を作動制御する構成になっている。
【００２７】
したがって、給油作業では、作業開始に際して、給油端末機で給油作業条件を設定して給油制御装置２５が許可を受けた後は、燃料供給所の従業員又は顧客からなる作業者は、設定油種の給油ノズル３０をノズル収納部４０から取り出し、ノズル筒先を車輌等の給油口の挿入して操作レバーを開弁操作すれば、油液が吐出され、車輌等の燃料タンクに燃料を供給することができる。
【００２８】
その際、給油制御装置２５には、設定油種の給油ノズル３０をノズル収納部４０から取り出すと、ノズルスイッチ２３から非収納状態の検出信号が供給される。給油制御装置２５は、非収納状態の検出信号により、設定油種に該当する給油系統の送液機器２１を作動させて、取り出した給油ノズル３０への燃料供給を開始する。これにより、作業者が給油ノズル３０の操作レバーを開弁操作すれば、ノズル筒先から油液が吐出され、燃料タンクへの燃料供給が開始されることになる。このようにして、給油ノズル３０から車輌等の燃料タンクに供給された燃料液量は、流量計測機器２２によって計測され、給油制御装置２５によって給油表示器２４に随時表示される。
【００２９】
その後、車輌等の燃料タンクへの給油が終了すると、作業者は、給油ノズル３０の操作レバーを閉弁操作して、給油ノズル３０をノズル収納部４０に戻して収納する。給油制御装置２５は、給油ノズル３０のノズル収納部４０への収納によってノズルスイッチ２３から供給される収納状態の検出信号により、給油作業の終了を判別する。給油制御装置２５は、例えば、プリセット給油のような自動制御停止給油の終了で送液機器２１が停止しておらず、作動している場合は、送液機器２１を作動停止させた後、給油量等の給油作業データを給油端末機に送信して、今回給油詐作業についての伝票発行を行わせる。
【００３０】
このように、給油装置１０を使用した給油作業では、作業者によるノズル操作が必要不可欠であり、ノズル収納部４０からの給油ノズル３０の取り出し、ノズル収納部４０への掛け戻し（収納）が必須となる。ところが、風雪が厳しい寒冷地のガソリンスタンドでは、ノズル収納部４０に収納された状態でノズルに雪等が付着して凍りつくと、給油ノズル３０の取り出しや掛け戻しができない、ノズル収納部４０に付設されたノズルスイッチ２３が給油ノズル３０の取り出しや掛け戻しに応動しない、等といった問題点が発生する。
【００３１】
そこで、図１に示した本実施例に係る給油装置１０では、ノズル収納部４０には、ノズル収納部４０、及びノズル収納部４０に収納された給油ノズル３０を覆う、開閉自在のノズルカバー６０が取り付けられている。
【００３２】
図２は、ノズルカバーが取り付けられたノズル収納部の構成を示す斜視図である。
【００３３】
図２では、ノズル収納部４０について、便宜的に、装置本体外部に現れる部分を実線で、装置本体１１内に位置し、装置本体外部に現れない部分を点線で表してある。図２は、作業者によりノズルカバー６０がカバー開操作されて、ノズル収納部４０に収納された給油ノズル３０が外部に現れ、取り出し可能なカバー開状態を示している。なお、給油ノズル３０は、給油ホース２０を省略して表してある。
【００３４】
通常、給油ノズル３０は、図２に示すように、本体収容部３１と、吐出パイプ３２と、把持部３３と、レバーガード部３４と、を有する構成になっている。
【００３５】
本体収容部３１には、操作レバー３５の操作に応動する開閉弁（主弁）を含むノズル弁機構が収容されている。吐出パイプ３２は、燃料タンクの給油口への挿入部分で、本体収容部３１から延設され、ノズル先端側を構成する。把持部３３は、給油作業の際に作業者が給油ノズル３０を把持する部分で、本体収容部３１から吐出パイプ３２の延設方向とは異なる方向に延設され、ノズル基端側を構成する。レバーガード部３４は、ノズル弁機構の主弁を開閉操作する操作レバー３５を保護するための保護枠で、本体収容部３１及び把持部３３に取り付けられている。
【００３６】
給油ノズル３０を収容・保持するため、ノズル収納部４０は、図示の例では、吐出パイプ収容部４１と、載置部４２と、を有する構成になっている。
【００３７】
吐出パイプ収容部４１は、ノズル先端側の吐出パイプ３２が挿入されて収容されるノズルブーツ部４１ａを備える。装置本体１１に対するノズル収納部４０の取付状態では、吐出パイプ収容部４１のノズルブーツ部４１ａは、装置本体内に突設して、装置本体外部に向いて、ノズルブーツ部４１ａの開口部及び内周面が現れる。
【００３８】
載置部４２は、吐出パイプ収容部４１に吐出パイプ３２が収容された給油ノズル３０を支持するともに、その支持された給油ノズル３０の姿勢状態が吐出パイプ３２や把持部３３の軸心廻りに回動変位しないように保持する。図示の例では、載置部４２は、給油ノズル３０の本体収容部３１及びレバーガード部３４それぞれの特定部分が遊嵌される支持溝４２ａを有する。支持溝４２ａは、その溝底面が給油ノズル３０の支持部となり、その溝側面が給油ノズル３０の姿勢状態の保持部となる。また、載置部４２には、図示省略したが、給油ノズル３０の収納状態／非収納状態を検出するノズルスイッチ２３、又はこのノズルスイッチ２３の作動片や検出部も付設されている。
【００３９】
ノズル収納部４０は、図示の例では、装置本体１１の本体パネルに形成された取付孔に枠部材５０を介して取り付けられる構成となっている。枠部材５０は、ノズルブーツ部４１ａの開口部を装置本体外部に臨ませる吐出パイプ挿入口５１と、載置部４２が支持溝４２ａを装置本体外部に臨ませるように嵌合する載置部嵌合部５２と、を有する形状になっている。
【００４０】
ノズル収納部４０の装置本体１１に対する取り付けに当たって、吐出パイプ収容部４１は、予め、枠部材５０の吐出パイプ挿入口５１にノズルブーツ部４１ａの開口部を合わせて、枠部材５０に一体的に取り付け固定されている。これに対し、載置部４２は、予め、装置本体１１のフレームに取り付け固定されている。その上で、ノズル収納部４０は、吐出パイプ収容部４１と一体化された枠部材５０を装置本体１１の本体パネルの取付孔に組み付け、この本体パネルを装置本体１１のフレームに組み付けることによって、枠部材５０の載置部嵌合部５２から載置部４２の支持溝４２ａが装置本体外部に臨むようになり、枠部材５０を介して吐出パイプ収容部４１と載置部４２とが一体化されて、ノズル収納部４０が装置本体１１に取り付け固定される構成になっている（詳細は、本願出願人が先に出願した特開２００４−１２３１２０号（特許第４１０１００７号）公報を参照）。
【００４１】
本実施例では、ノズル収納部４０を構成する吐出パイプ収容部４１と載置部４２とを一体化する枠部材５０が、ノズルカバー６０の取付先になっている。そのため、枠部材５０には、ノズルカバー６０の取付位置決め部５３，カバー内面規制部５４，等も形成されている。
【００４２】
図３は、ノズルカバーの構成図である。図３（Ａ）は、給油表示器に正対して装置本体を正面から眺めた場合におけるノズルカバーの正面図で、図３（Ｂ）は、ノズルカバーの右側面図、図３（Ｃ）は、ノズルカバーの平面図をそれぞれ示す。
【００４３】
ノズルカバー６０は、例えば樹脂材料を成型して構成され、ノズル収納部４０に収納状態になっている給油ノズル３０を視認できるように、透明又は半透明になっている。ノズルカバー６０は、図示の例では、吐出パイプ収容部４１と載置部４２と一体化してノズル収納部４０を形成する枠部材５０に、開閉自在に取り付けられる。
【００４４】
ノズルカバー６０は、ノズル収納部４０に給油ノズル３０が遮蔽された状態で、装置本体１１を正面から眺めた場合における給油ノズル３０の正面部分や、枠部材５０を含むノズル収納部４０の吐出パイプ収容部４１や載置部４２の正面部分を覆うカバー正面部６０ｔと、収納状態で装置本体１１の本体パネル面から正面方向に突出して表れる給油ノズル３０の各部３１，３２，３３，３４それぞれの側面部や、ノズル収納部４０の吐出パイプ収容部４１や載置部４２の側面部を覆うカバー周辺部６０ｓとが、一体的に成型された複合曲面構造になっている。これにより、ノズルカバー６０は、正面から眺めた裏側に、これら装置本体１１の本体パネル面から正面方向に突出して表れる給油ノズル３０やノズル収納部４０の各部を、カバー閉状態で非接触で収容するための中空収容空間６１を形成する構造になっている。
【００４５】
また、図中において一点鎖線で囲んで示した、ノズルカバー６０を正面から眺めた場合における上部カバー部６０ｕには、ノズルカバー６０を回動自在にノズル収納部４０に取り付けるための取付部６２がカバー周辺部６０ｓに形成されている。上部カバー部６０ｕは、ノズル収納部４０への取付後のカバー閉状態で、ノズルカバー６０をカバー開（カバー開放）状態にするカバー回動の妨げとならない形状になっている。
【００４６】
同じく、図中において、一点鎖線で囲んで示した、ノズルカバー６０を正面から眺めた場合における下部カバー部６０ｄには、給油ホース２０、又は給油ホース２０が接続される給油ノズル３０の回動接手をノズルカバー６０の内外間で通過させるための通過口６３が形成されている。
【００４７】
さらに、ノズルカバー６０には、ノズル収納部４０への取付後のカバー閉状態で、枠部材５０のカバー内面規制部５４とカバー内面が当接して、カバー閉操作毎でノズルカバー６０の閉状態姿勢に違いが無いように一様に規定するためのカバー閉姿勢規制部６４も形成されている。
【００４８】
次に、ノズルカバー６０のノズル収納部４０に対する取付構成について、図４及び図５に基づき説明する。
【００４９】
図４は、ノズルカバーをノズル収納部に対し回動自在に取り付ける回動機構の説明図である。図４（Ａ）は、ノズルカバーが取り外された状態のノズル収納部の斜視図で、図４（Ｂ）は、回動機構を構成する各部の構成図である。図４（Ｃ）は、回動機構における、ノズルカバーのカバー開方向に係る回動規制状態を示した図である。なお、図４（Ａ）においては、ノズル収納部４０の吐出パイプ収容部４１は図示省略してある。
【００５０】
図４（Ａ）に示すように、吐出パイプ収容部４１と載置部４２とを一体化してノズル収納部４０を構成するための枠部材５０の、正面から視て上部になる吐出パイプ挿入口５１側の端部又はその周辺部分には、回動機構７０のノズル収納部４０側の取付孔５５が形成されている。取付孔５５は、ノズル収納部４０に対するノズルカバー６０の取付位置決め部５３にもなっている。
【００５１】
回動機構７０は、ノズルカバー６０がカバー開位置からカバー閉位置へ移動（変位）する際、換言すれば、カバー開状態のノズルカバー６０がカバー閉状態になる際のカバー移動速度（カバー変位速度）を、その際の開位置状態（カバー開状態）の重力加速度に基づいて発生するカバー移動速度（カバー変位速度）に対して減少させる減速機能部を備えた構成になっている。そして、回動機構７０のこの減速機能部は、閉状態にあるノズルカバー６０が強風によって持ち上げられてガタついたり、ノズルカバー６０が振動して騒音が発生するのを防止するロック機能部としての機能も併せ持つようになっている。
【００５２】
図示の例では、回動機構７０は、ノズル収納部４０側の取付固定板７１と、ノズルカバー６０側の取付固定板７２と、両取付固定板７１，７２を回動可能に連結するとともに減速機能部及びロック機能部を構成する減速軸機構部８０と、を有する構成になっている。
【００５３】
ノズル収納部４０側の取付固定板７１は、Ｌ字状に折曲された剛性板材により構成されている。取付固定板７１の一側の折曲部は、ノズル収納部４０の枠部材５０に対する取付固定部７１ａとなり、枠部材５０に形成された取付孔５５に合わせて、例えばねじやボルト等といった位置決め締着部材７３の取付孔が形成されている。取付固定板７１の他側の折曲部は、減速軸機構部８０に対する固定連結部７１ｂとなり、例えばねじやボルト等の締着部材によって、減速軸機構部８０のノズル収納部側固定部８１と固定される。ノズル収納部４０側の取付固定板７１は、枠部材５０に位置決め締着部材７３によって位置決め固定された状態で、その固定連結部７１ｂの板面がノズルカバー６０のカバー開方向に係る回動規制面７４になる。
【００５４】
これに対し、ノズルカバー６０側の取付固定板７２は、複数個所でＬ字状に折曲された剛性部材により構成されている。取付固定板７２は、Ｌ字状に折曲された一側の折曲部からなる減速軸機構部８０に対する固定連結部７２ａと、この固定連結部７２ａに対してＬ字状に折曲された他の折曲部からなる中継部７２ｂと、中継部７２ｂの幅方向両側からそれぞれ延び、中継部７２ｂに対してＬ字状に谷折りされた一対のノズルカバー固定部７２ｃと、折曲状態で各ノズルカバー固定部７２ｃから固定連結部７２ａの板面から突出するように延びた一対の回動規制片７２ｄと、を有する構成になっている。固定連結部７２ａは、例えばねじやボルト等の締着部材によって、減速軸機構部８０のノズルカバー側固定部８２と固定される。一対のノズルカバー固定部７２ｃは、ノズルカバー６０の取付部６２と、位置決め固定部材７５を両者に嵌着することによって固定される。一対のノズルカバー固定部７２ｃは、減速軸機構部８０のノズルカバー側固定部８２に対するノズルカバー６０の取付姿勢状態を規定する。回動規制片７２ｄは、ノズルカバー６０の回動に応じて、ノズル収納部４０側の取付固定板７１における回動規制面７４と図４（Ｃ）に示すように当接して、ノズルカバー６０のカバー開方向に係る回動姿勢の規制を協働して行う。
【００５５】
減速軸機構部８０は、ノズル収納部側固定部８１と、ノズルカバー側固定部８２と、減速軸８３と、を有する構成になっている。
【００５６】
ノズル収納部側固定部８１は、一側に固定板取付面８１ａが形成され、他側が減速軸８３の固定取付部８１ｂになっている。ノズルカバー側固定部８２は、一側に固定板取付面８２ａが形成され、他側が減速軸８３との係合取付部８２ｂになっている。減速軸８３は、ノズル収納部側固定部８１とノズルカバー側固定部８２との間の相対的な回動範囲、すなわちノズルカバー６０のノズル収納部４０に対する相対的な回動範囲を規制しながら、両者を回動可能に軸支持する。
【００５７】
図５は、回動機構の減速軸機構部に備えられた減速軸の一実施例の構成図である。図５（Ａ）は、減速軸の外観構成を示す斜視図を、図５（Ｂ）は、減速軸の軸受筐体の内部構成を示す透視図を、図５（Ｃ）は、軸部材の外観構成を示す斜視図を、図５（Ｄ）は、減速軸の延設方向に対して垂直な断面構成を示す断面図を、それぞれ示す。
【００５８】
減速軸８３は、図５（Ｂ）に示す軸受筐体８４に、軸部材８５が図５（Ｄ）に示すように所定回動範囲内で、回動可能に組み付けられて構成されている。
【００５９】
軸受筐体８４は、図５（Ｂ）に示すように、内部に、軸長さ方向の両端側が小径の軸支承孔８４ａとなり、両端側の軸支承孔８４ａの間に、軸支承孔８４ａよりも大径な、非圧縮性流体（例えば、油圧発生用オイル等、図示省略）が貯蔵される貯液孔８４ｂが形成された構造になっている。各軸支承孔８４ａ及び貯液孔８４ｂは、軸方向に沿って同軸に連設され、各軸支承孔８４ａは軸受筐体８４の軸方向端面からそれぞれ外部に対して開口している。これにより、軸受筐体８４には、軸方向に沿って、一方の軸支承孔８４ａ，貯液孔８４ｂ，他方の軸支承孔８４ａが順次並んで構成され、軸部材貫通孔が貫通して設けられた構造になっている。
【００６０】
加えて、軸受筐体８４の貯液孔８４ｂには、その内周面の所定角度位置から径方向内方に向かって、軸部材８５の後述する軸本体部８５ａと摺設するように突設し、軸部材８５の回動範囲を規制する回動規制部８６が形成されている。
【００６１】
これにより、軸受筐体８４の各軸支承孔８４ａの内周面は、図示せぬシール部材を介して軸部材８５を回動可能に支持する軸支承部８７となり、回動規制部８６が形成された貯液孔８４ｂは、減速軸８３の回動する際に抵抗を発生する抵抗発生部８８になる。
【００６２】
これに対し、軸部材８５は、軸本体部８５ａと、区画壁部８５ｂとを有する構成になっている。軸本体部８５ａは、軸受筐体８４の軸支承部８７に回動可能に支持され、軸部材貫通孔を貫通する。区画壁部８５ｂは、軸受筐体８４の貯液孔８４ｂに該当する軸本体部８５ａの軸方向長さ位置に亘って、軸本体８５ａの外周面の所定角度位置から径方向外方に向かって、軸受筐体８４の貯液孔８４ｂの内周と摺設するように突設し、軸受筐体８４の貯液孔８４ｂ内を２室に区分する。区画壁部８５ｂは、カバー開移動時に容積が増大する一方、カバー閉移動時に容積が縮小する第１の貯液室９１と、カバー閉移動時に容積が増大する一方、カバー開移動時に容積が縮小する第２の貯液室９２とを形成する。
【００６３】
さらに、区画壁部８５ｂには、第１の貯液室９１と第２の貯液室９２との間を連通するように、チェックバルブ９３と、オリフィス９４とが設けられている。
【００６４】
チェックバルブ９３は、カバー閉移動時に容積が増大している第２の貯液室９２内に貯留されている非圧縮性流体を、ノズルカバー６０のカバー開位置からカバー閉位置へのカバー開移動（カバー開変位）に連動して、第２の貯液室９２内に貯留されている非圧縮性流体の液圧の値が所定圧力以上になると、閉弁状態から開弁状態になる。チェックバルブ９３は、第２の貯液室９２内に貯留されている非圧縮性流体が第１の貯液室９１側へ流入するのを許容する構成になっている。換言すれば、チェックバルブ９３は、第２の貯液室９２内に貯留されている非圧縮性流体の第１の貯液室９１側への流入は、第２の貯液室９２内に貯留されている非圧縮性流体の液圧状態にかかわらず阻止する構成になっている。
【００６５】
これに対し、オリフィス９４は、常時、第１の貯液室９１内と第２の貯液室９２内との間を連通している。
【００６６】
このように構成された回動機構７０において、減速軸８３の軸受筐体８４は、減速軸機構部８０のノズル収納部側固定部８１に取り付け固定され、ひいては、このノズル収納部側固定部８１を介して、ノズル収納部４０の枠部材５０に対して取り付け固定されている。一方、減速軸８３の軸部材８５は、減速軸機構部８０のノズルカバー側固定部８２に係合固定され、ひいては、このノズルカバー側固定部８２を介して、ノズルカバー６０に係合固定されている。
【００６７】
これにより、回動機構７０において、減速軸８３の軸部材８５は、ノズルカバー６０のカバー開移動時及びカバー閉移動時それぞれにおいて、ノズルカバー６０の回動に連動して減速軸８３の軸受筐体８４内を回動変位しようとする。その際、第１の貯液室９１又は第２の貯液室９２の何れか一方の、容積が縮小される側に貯留された非圧縮性流体は、ノズルカバー６０を回動させようとする操作力で、軸部材８５の区画壁部８５ｂによって押圧される。この押圧により、容積が縮小される側の液圧が上昇する。その結果、ノズルカバー６０の回動によって容積が縮小される側に貯留された非圧縮性流体は、軸部材８５の区画壁部８５ｂに設けられたオリフィス９４、又はチェックバルブ９３とオリフィス９４とを介して、第１の貯液室９１又は第２の貯液室９２の何れか他方の、区画壁部８５ｂを介して押圧されていない、容積が拡大される側に流入する。減速軸８３の軸部材８５は、このようにして、ノズルカバー６０の回動によって容積が縮小される側に貯留された非圧縮性流体の液圧上昇を抑制しようとする。
【００６８】
図６は、ノズルカバーのカバー閉位置におけるノズルカバー及び回動機構の状態を示した図である。
【００６９】
図７は、ノズルカバーのカバー半閉（カバー半開）位置におけるノズルカバー及び回動機構の状態を示した図である。
【００７０】
図８は、ノズルカバーのカバー開位置におけるノズルカバー及び回動機構の状態を示した図である。
【００７１】
図６，図７，図８の各図において、（Ａ）図は、ノズルカバーが取り付けられた状態での各移動位置でのノズル収容部の外観斜視図を、（Ｂ）図は、各移動位置での回動機構の状態を、（Ｃ）図は、各移動位置での回動機構における第１の貯液室及び第２の貯液室の状態を示した図である。
【００７２】
この結果、ノズルカバー６０の開移動時における、第１の貯液室９１内の容積を縮小させるとともに第２の貯液室９２内の容積を拡大させる、第１の貯液室９１側から第２の貯液室９２側への、第１の貯液室９１内に貯留されている非圧縮性流体の流通移動は、第１の貯液室９１内の液圧上昇により開弁したチェックバルブ９３と、オリフィス９４との両方を介して行われることになる。従って、非圧縮性流体の流通移動はチェックバルブ９３と、オリフィス９４の両方で行われるため、ノズルカバー６０を閉状態から開状態へ移動させる際に、作業者は負担なく開動作を行うことができる。
【００７３】
逆に、ノズルカバー６０の閉移動時における、第２の貯液室９２内の容積を縮小させるとともに第１の貯液室９１内の容積を拡大させる、第２の貯液室９２側から第１の貯液室９１側への、第２の貯液室９２内に貯留されている非圧縮性流体の移動は、第２の貯液室９２内の液圧が上昇してもチェックバルブ９３は閉弁したままでなので、オリフィス９４のみを介して行われることになる。
【００７４】
したがって、チェックバルブ９３の開弁圧を適宜設定しておけば、作業者によるノズルカバー６０のカバー開操作では、チェックバルブ９３が開弁して、第１の貯液室９１側から第２の貯液室９２側への、第１の貯液室９１内に貯留されている非圧縮性流体の流通移動は、開弁したチェックバルブ９３と、オリフィス９４との両方を介して行われる。これにより、第１の貯液室９１に貯留され、作業者によるノズルカバー６０のカバー開操作で液圧が上昇する非圧縮性流体は、チェックバルブ９３が開弁してしまえばチェックバルブ９３を開弁した分だけ、第１の貯液室９１からの多量に流出させることができ、軸受筐体８４内における軸部材８５の回動が円滑になる。この結果、ノズルカバー６０に作用する回動力の大きさは同じであっても、オリフィス９４しか連通していない場合に比べて、軸受筐体８４内における軸部材８５の回動速度、すなわちノズルカバー６０の回動速度を速くすることができ、ノズルカバー６０の開移動を円滑に行うことできる。加えて、第１の貯液室９１に貯留されている非圧縮性流体がチェックバルブ９３が開弁する液圧になるまでは、オリフィス９４しか連通していないため、チェックバルブ９３が開弁したときに比べて、第１の貯液室９１から第２の貯液室９２側へ流出する非圧縮性流体の流量は制限される。
【００７５】
これにより、カバー閉状態にあるノズルカバー６０の強風によるガタつき防止も両立させることができる。
【００７６】
一方、チェックバルブ９３の開弁圧を適宜設定しておけば、作業者がノズルカバー６０から手を離した場合のカバー閉操作では、ノズルカバー６０の自重による重力加速度に基づいた押圧力によって第２の貯液室９２内の非圧縮性流体の液圧が上昇しても、チェックバルブ９３は開弁せず、第２の貯液室９２側から第１の貯液室９１側への、第２の貯液室９２内に貯留されている非圧縮性流体の流通移動は、オリフィス９４だけを介して行われる。
【００７７】
この結果、ノズルカバー６０に作用する回動力の大きさは同じであっても、オリフィス９４及び開弁したチェックバルブ９３の両方で連通している場合に比べて、軸受筐体８４内における軸部材８５の回動速度、すなわちノズルカバー６０の回動速度を遅くすることができ、ノズルカバー６０の開移動を停滞させることできる。
【００７８】
これにより、カバー開状態にあるノズルカバー６０から手を離しても、ノズルカバー６０がゆっくりカバー閉位置へ移動する間に、カバーから離したその手で給油ノズル３０の把持部３３を握り、給油ノズル３０をノズル収容部４０から取り出すことができる。
【００７９】
そのため、ノズルカバー６０を給油ノズル３０の把持部３３を含めた全体を覆い隠せる形態にしても、片手でノズルカバー６０をカバー閉状態に戻らないように支えながら、もう一方の手で把持部３３を握って給油ノズル３０のノズル収納部４０から取り出さなくても、開状態にしたノズルカバー６０から手を離して、ノズルカバー６０がゆっくりカバー閉位置へ移動する間に、カバー離したその手で給油ノズル３０の把持部３３を握り、給油ノズル３０をノズル収容部４０から取り出すことができる。
【００８０】
これにより、ノズルカバー６０を給油ノズル３０の把持部３３を含めた全体を覆い隠せるようにしても、作業者は、片手だけでノズルカバー６０をカバー開状態にして給油ノズル３０をノズル収容部４０から取り出すことができる。そのため、風雪が厳しい寒冷地であっても、給油ノズル３０の把持部３３に雪が付着してしまうことがなく、給油ノズル３０の操作上の快適性を損なわれることもない。
【００８１】
さらに、給油ノズル３０をノズル収容部４０から取り出すに当たって、カバー開状態にしたノズルカバー６０は、第２の貯液室９２側から第１の貯液室９１側への、オリフィス９４だけを介したカバー閉移動により、ノズルカバー６０は自動的にカバー閉状態に戻るので、ノズルがノズル収納部から取り出されてからノズルがノズル収納部に収納されるまでの間も、ノズル収納部への雪等が付着するのを防ぐことができ、ノズルカバーが強風によりガタつくのも防止できる。
【符号の説明】
【００８２】
１０  給油装置、  １１  装置本体、  １２  機器収納部、  １３  表示機器収納部、
２０  給油ホース、  ２１  送液機器、  ２２  流量計測機器、
２３  ノズルスイッチ、  ２４  給油表示器、  ２５  給油制御装置、
３０  給油ノズル、  ３１  本体収容部、  ３２  吐出パイプ、
３３  把持部、  ３４  レバーガード部、  ４０  ノズル収納部、
４１  吐出パイプ収容部、  ４１ａ  ノズルブーツ部、
４２  載置部、  ４２ａ  支持溝  ５０  枠部材、  ５１  吐出パイプ挿入口、
５２  載置部嵌合部、  ５３  取付位置決め部、  ５４  カバー内面規制部、
５５  取付孔、  ６０  ノズルカバー、  ６０ｔ  カバー正面部、
６０ｓ  カバー周辺部、  ６０ｕ  上部カバー部、  ６０ｄ  下部カバー部、
６１  中空収容空間、  ６２  取付部、  ６３  通過口、
６４  カバー閉姿勢規制部、  ７０  回動機構
７１  取付固定板、  ７１ａ  取付固定部、  ７１ｂ  固定連結部、
７２  取付固定板、  ７２ａ  固定連結部、  ７２ｂ  中継部、
７２ｃ  ノズルカバー固定部、  ７２ｄ  回動規制片、  ７３  位置決め締着部材、
７４  回動規制面、  ７５  位置決め固定部材、  ８０  減速軸機構部、
８１  ノズル収納部側固定部、  ８１ａ  固定板取付面、  ８１ｂ  固定取付部、
８２  ノズルカバー側固定部、  ８２ａ  固定板取付面、  ８２ｂ  係合取付部、
８３  減速軸、  ８４  軸受筐体、  ８４ａ  軸支承孔、  ８４ｂ  貯液孔、
８５  軸部材、  ８５ａ  軸本体部、  ８６  回動規制部、  ８５ｂ  区画壁部、
８７  軸支承部、  ８８  抵抗発生部、  ９１  第１の貯液室、
９２  第２の貯液室、  ９３  チェックバルブ、  ９４  オリフィス
【図１】
2015145254.tif 000003
【図２】
2015145254.tif 000004
【図３】
2015145254.tif 000005
【図４】
2015145254.tif 000006
【図５】
2015145254.tif 000007
【図６】
2015145254.tif 000008
【図７】
2015145254.tif 000009
【図８】
2015145254.tif 000010